(57)【要約】【課題】本発明は、簡易かつ安価な構成で、面状光の均一性が向上した面光源装置および液晶表示装置の提供を目的とする。【解決手段】本発明に係る面光源装置２００は、発光面を有する面光源装置であって、発光面の一辺側に配置された少なくとも１つの光源８と、光源８が発する光を発光面に対して平行な平行光に変換する光学素子７と、光学素子７から射出される平行光の軌道を発光面に向かう側に変化させる背面側反射板５と、を備える。【選択図】図１
2017103079.tif 000002
【特許請求の範囲】
【請求項１】
発光面を有する面光源装置であって、
前記発光面の一辺側に配置された少なくとも１つの光源と、
前記光源が発する光を前記発光面に対して平行な平行光に変換する光学素子と、
前記光学素子から射出される前記平行光の軌道を前記発光面に向かう側に変化させる背面側反射板と、
を備える、
面光源装置。
【請求項２】
前記背面側反射板と前記発光面との間隔は、前記発光面の前記一辺側から、前記一辺と対向する他辺側に向けて狭くなる、
請求項１に記載の面光源装置。
【請求項３】
前記背面側反射板の反射面は拡散反射特性を有する、
請求項１又は請求項２に記載の面光源装置。
【請求項４】
前記発光面の前記一辺と対向する他辺に沿って延在し、前記発光面と垂直な反射面を有する側面側反射板をさらに備え、
前記側面側反射板の前記反射面は拡散反射特性を有し、
前記側面側反射板は、前記背面側反射板と繋がっている、
請求項１から請求項３のいずれか一項に記載の面光源装置。
【請求項５】
前記光源、前記光学素子、前記背面側反射板および前記側面側反射板を収納し、内側面で光を反射する筐体をさらに備える、
請求項４に記載の面光源装置。
【請求項６】
前記筐体の内側面は鏡面反射特性を有する、
請求項５に記載の面光源装置。
【請求項７】
前記背面側反射板および前記側面側反射板は、前記筐体の内面に一体に設けられる、
請求項５又は請求項６に記載の面光源装置。
【請求項８】
前記光学素子は、棒形状であり、
前記光学素子は、前記発光面の前記一辺に沿って配置される、
請求項１から請求項７のいずれか一項に記載の面光源装置。
【請求項９】
前記少なくとも１つの光源は複数であり、複数の前記光源は前記発光面の前記一辺に沿って間隔をあけて配置される、
請求項１から請求項８のいずれか一項に記載の面光源装置。
【請求項１０】
複数の前記光源の配置される間隔は等間隔である、
請求項９に記載の面光源装置。
【請求項１１】
前記光源は発光ダイオードである、
請求項１から請求項１０のいずれか一項に記載の面光源装置。
【請求項１２】
請求項１から請求項１１のいずれか一項に記載の面光源装置と、
前記面光源装置によって照射される光を利用して画像を表示する液晶パネルと、
を備える、
液晶表示装置。
【発明の詳細な説明】
【技術分野】
【０００１】
本発明は面光源装置および液晶表示装置に関する。
【背景技術】
【０００２】
液晶表示装置が備える液晶表示素子は、自ら発光しない。このため、液晶表示装置は液晶表示素子を照明する光源として、液晶表示素子の背面にバックライト装置（面光源装置とも記載する）を備えている。
【０００３】
面光源装置の光源として、例えば複数の発光ダイオード（Ｌｉｇｈｔ  Ｅｍｉｔｔｉｎｇ  Ｄｉｏｄｅ：以下、ＬＥＤと記載）が用いられる。光源の配置に関して、直下型とサイドライト型の面光源装置が知られている。直下型では、光源が発光面の背面側に配置される。サイドライト型では、光源が発光面の端面側に配置される。
【０００４】
近年では、小型の高効率で高出力のＬＥＤが開発されている。そのため、面光源装置に備わるＬＥＤの総数を減らしても、計算上では従来と同様の明るさを得ることができる。
【０００５】
特許文献１においては、発光面の背面側において、発光面の中央付近に複数のLＥDを配置している。そして、凹形状に湾曲した反射シートを用いて、ＬＥＤからの光線を発光面側に反射している。ＬＥＤを一定の位置に集中的に配置することで隣接するＬＥＤとの配置間隔を狭くすることができる。これによって、配置するＬＥＤの数が少なくても、ＬＥＤ間で発生する明暗差が目立たなくなる。また、特許文献２においては、ＬＥＤからの光線を導光板に入射させて面状光に変換している。
【先行技術文献】
【特許文献】
【０００６】
【特許文献１】特開２０１２−２３０２６４号公報
【特許文献２】特開２０１４−１７５２６４号公報
【発明の概要】
【発明が解決しようとする課題】
【０００７】
しかしながら、特許文献１においては、ＬＥＤの光源特性に依存した輝度分布となってしまう。つまり、ＬＥＤが配置された発光面の中央部が明るく、中央部の周囲が暗くなってしまう。また、面光源装置の発光面のサイズがより大きくなった場合に、発光面の中央部とその周囲との明暗差が大きくなることが予想される。
【０００８】
また、特許文献２においては、ＬＥＤからの光線を導光板に伝搬させるため、面状光に、導光板の内部吸収率差を原因とする色むらが発生してしまう。内部吸収率差とは、広帯域のスペクトルを有するＬＥＤ光が導光板内部を伝搬中に、長波長成分と短波長成分との吸収率の差である。
【０００９】
本発明は以上のような課題を解決するためになされたものであり、簡易かつ安価な構成で、面状光の均一性が向上した面光源装置および液晶表示装置の提供を目的とする。
【課題を解決するための手段】
【００１０】
本発明に係る面光源装置は、発光面を有する面光源装置であって、発光面の一辺側に配置された少なくとも１つの光源と、光源が発する光を発光面に対して平行な平行光に変換する光学素子と、光学素子から射出される平行光の軌道を発光面に向かう側に変化させる背面側反射板と、を備える。
【発明の効果】
【００１１】
本発明によれば、発光面のサイズに関わらず、簡易かつ安価な構成で、面状光の均一性を向上した面光源装置および液晶表示装置を得ることが可能である。
【図面の簡単な説明】
【００１２】
【図１】実施の形態１に係る面光源装置の断面図である。
【図２】実施の形態１に係る面光源装置の平面図である。
【図３】実施の形態１に係る面光源装置に備わる光学素子の斜視図である。
【図４】実施の形態１に係る面光源装置の制御系の構成を示すブロック図である。
【図５】実施の形態１に係る面光源装置に備わる光学素子の機能を説明する図である。
【図６】実施の形態１に係る面光源装置における光線の挙動を説明する図である。
【図７】実施の形態２に係る面光源装置の断面図である。
【図８】実施の形態２に係る面光源装置の平面図である。
【発明を実施するための形態】
【００１３】
＜実施の形態１＞
図１は、本実施の形態１における面光源装置２００および液晶表示装置１００の断面図である。図２は、面光源装置２００を＋ｚ軸側（発光面側）からみた平面図である。図２において、図の見易さのために拡散板４の記載を省略している。図２中の線分Ａ−Ａにおける断面が図１に対応する。説明を容易にするために、各図中にｘｙｚ直交座標系の座標軸を示す。
【００１４】
通常、液晶表示装置２００では、液晶パネルの長辺方向を水平にして配置される。そのため、以下の実施の形態において、ｘ軸方向を水平方向し、ｙ軸方向を垂直方向として説明する。
【００１５】
以下の説明において、液晶パネル（液晶表示素子）１の短辺方向をｙ軸方向（図１において左右方向）とする。液晶パネル１の長辺方向をｘ軸方向（図１が描かれている紙面に垂直方向）とする。ｘ軸及びｙ軸を含む平面であるｘ−ｙ平面に垂直な方向をｚ軸方向（図１における上下方向）とする。
【００１６】
そして、液晶表示装置２００の表示面側から見て、左側をｘ軸の正方向（＋ｘ軸方向）とし、右側を、ｘ軸の負方向（−ｘ軸方向）とする。「表示面側から見て」とは、＋ｚ軸方向側から−ｚ軸方向側を見ることである。液晶表示装置２００の上側をｙ軸の正方向（＋ｙ軸方向）とし、下側をｙ軸の負方向（−ｙ軸方向）とする。また、液晶表示装置２００が映像を表示する方向をｚ軸の正方向（＋ｚ軸方向）とし、その反対方向を、ｚ軸の負方向（−ｚ軸方向）とする。＋ｚ軸方向側を表示面側という。−ｚ軸方向側を裏面側という。
【００１７】
＜液晶表示装置１００の構成＞
図１に示されるように、実施の形態１における液晶表示装置１００は、透過型の液晶パネル１および面光源装置２００を備えている。また、液晶表示装置１００は、光学シート２，３を備えてもよい。
【００１８】
液晶パネル１は、液晶表示素子を有し、画像光を形成するパネルである。そして、液晶パネル１は、光を透過する透過型のパネルである。「画像光」とは、画像情報を有する光のことである。また、液晶表示装置１００は、光学シート２を備えてもよい。また、液晶表示装置１００は、光学シート３を備えてもよい。面光源装置２００は、液晶パネル１の背面１ｂに光を照射している。図１に示すように、面光源装置２００が発した光は、光学シート３，２を透過して液晶パネル１の背面１ｂに達する。
【００１９】
光学シート２は、細かな照明むらなどの光学的影響を抑制する。光学シート３は、拡散板４から放射された光を液晶パネル１の表示面１ａの法線方向に向ける機能を有する。拡散板４は、透過する光を拡散させる。「拡散」とは、拡がり散ることである。つまり、光が散乱することである。拡散板４は、例えば、薄板形状である。また、拡散板４は、例えば、シート状であってもよい。
【００２０】
拡散板４は、背面側反射板５の＋ｚ軸側に配置されている。拡散板４は、背面側反射板５の開口部を覆うように配置される。つまり、拡散板４は、面光源装置２００の光出射面に配置されている。
【００２１】
図１に示すように、面光源装置２００は、発光面から、光学シート２，３を通して、液晶パネル１の背面１ｂ（−ｚ軸方向側の面）に光を照射する。「発光面」とは面光源装置の＋ｚ軸方向側の面である。液晶パネル１、光学シート２，３、拡散板４、面光源装置２００は、＋ｚ軸方向から−ｚ軸方向に向けて順に配列されている。
【００２２】
液晶パネル１は、面光源装置２００からの面状光を画像光に変換する。「画像光」とは、画像情報を有する光のことである。
【００２３】
液晶パネル１の表示面１ａは、ｘ−ｙ平面に平行な面である。表示面１ａは、液晶パネル１の＋ｚ軸方向側の面である。液晶パネル１の液晶層は、ｘ−ｙ平面に平行な方向に広がる面状の構造を有している。
【００２４】
液晶パネル１の表示面１ａは、通常、矩形形状である。つまり、表示面１ａの隣接する２辺（ｘ軸方向の短辺とｙ軸方向の長辺）は、直交している。ただし、表示面の形状は、他の形状であってもよい。
【００２５】
また、図１には図示していないが、液晶表示装置１００は、図４に示すように、制御部３１、液晶表示素子駆動部３２、光源駆動部３３を備えている。液晶表示素子駆動部３２は、液晶パネル１を駆動する。光源駆動部３３は、複数の光源８を駆動する。
【００２６】
＜面光源装置２００の構成＞
図１に示されるように、面光源装置２００は、複数の光源８、光学素子７および背面側反射板５を備える。また、面光源装置２００は、拡散板４および筐体６を備える。面光源装置２００の＋ｚ軸方向側の面を発光面とする。
【００２７】
複数の光源８は、発光面の一辺側（−ｙ軸方向側）に配置される。光学素子７は、光源８が発する光を、発光面に対して平行な平行光に変換する。背面側反射板５は、光学素子７から射出される平行光の軌道を発光面に向かう側に変化させる。
【００２８】
＜背面側反射板５＞
図１に示すように、背面側反射板５と面光源装置２００の発光面との間隔は、発光面の一辺側（即ち光源８が配置される辺側）から、一辺と対向する他辺側（即ち光源８が配置される辺と対向する辺側）に向けて狭くなる。つまり、背面側反射板５は、ｘ−ｙ平面対して傾斜した底面５１を有する。
【００２９】
また、面光源装置２００は、側面側反射板５２をさらに備える。側面側反射板５２は、面光源装置２００の発光面の他辺（即ち光源８が配置される辺と対向する辺）に沿って延在する。側面側反射板５２は、面光源装置２００の発光面と垂直な反射面（即ち、ｘ−ｚ平面に対して平行な反射面）を有する。図１に示すように、背面側反射板５と側面側反射板５２は繋がっている。
【００３０】
背面側反射板５の底面５１および側面側反射板５２は、拡散反射特性を有する。拡散特性としては完全拡散に近い特性である方が望ましい。「拡散反射」とは反射した光があらゆる方向へ拡がり散ることである。
【００３１】
背面側反射板５および側面側反射板５２は、例えば、ポリエチレンテレフタラートなどの樹脂を基材とした光反射シート又は基板の表面に金属を蒸着させた光反射シート等である。
【００３２】
＜筐体６＞
筐体６は、複数の光源８、光学素子７、背面側反射板５および側面側反射板５２を収納する。筐体６は、内側面で光を反射する。ここで、内側面とは、図２に示すようにｙ−ｚ平面に平行な反射面６１，６２である。反射面６１，６２は背面側反射板５に覆われていない。筐体６は、背面側反射板５を保持する機能を有している。
【００３３】
筐体６の反射面６１、６２は鏡面反射特性を有している。「鏡面反射」とは反射光が拡がり散らずに、入射した光の角度と等しい角度に最も明るい光が反射することである。
【００３４】
筐体６は、たとえばステンレスなどの金属が採用され、反射面６１、６２は、鏡面反射するように、表面が研磨され表面粗さが小さくなっている。あるいは、反射面６１，６２には金属が蒸着又はめっきされている。
【００３５】
＜光源８および光学素子７＞
本実施の形態１において光源８は発光ダイオード（ＬＥＤ）である。複数の光源８が、ｘ軸方向に一列に並べて配置している。光源８は面光源装置２００の底面側（−ｙ軸方向の端）に配置され、＋ｙ軸方向に向かって光を出射する。
【００３６】
光学素子７は、光源８から出射された光の配光を変化させる光学素子である。「配光」とは、光の空間に対する光度分布をいう。つまり、光源８から出る光の空間的分布である。また、「光度」とは、発光体の放つ光の強さの程度を示すもので、ある方向の微小な立体角内を通る光束を、その微小立体角で割ったものである。つまり、「光度」とは、光源からどのくらい強い光が出ているかを表す物理量である。
【００３７】
光学素子７は、光源８の＋ｙ軸方向側に配置されている。つまり、光学素子７は、光源８から出射される光線を覆うように配置されている。
【００３８】
光学素子７は、ｘ軸方向に延びる棒形状の光学素子である。光学素子７の材料は、例えば、アクリル樹脂（ＰＭＭＡ）等である。
【００３９】
図３は、光学素子７の斜視図である。光学素子７は、光源８から出射される光線が入射する光入射面７１を備えている。また、光学素子７は、光入射面７１から入射した光線を出射する光出射面７２を備えている。光入射面７１の断面形状又は光出射面７２の断面形状のいずれか１つの断面形状は凸面形状を備える。
【００４０】
＜光源８からの光線の挙動＞
図５は、光学素子７の光学特性を説明する図である。図５に示すように、光源８から出射された光線は、光入射面７１から光学素子７の内部に入射する。光入射面７１に達した光線は、光学素子７の形状によってｙ−ｚ平面に拡がる成分のみ屈折して、光出射面７２から出射される。スネルの法則により、光線の屈折角は、光線の入射角よりも大きくなる。
【００４１】
図５に示すように、光源８より出射された光線のｙ−ｚ平面へ広がる成分は、光学素子７によって屈折されてｙ軸に平行な光線とし光出射面７２より出射される。
【００４２】
図６は、面光源装置２００の断面図において光線の挙動を説明する図である。なお、図６において光源８および筐体６の記載を省略している。光学素子７から射出されたｙ軸に平行な平行光Ｌ７０は、背面側反射板５の底面５１で拡散反射されて拡散光Ｌ８０となる。拡散光Ｌ８０は空間的に重なり合いながら、面光源装置２００の発光面側（＋ｚ軸方向側）に向かう。そして、拡散光Ｌ８０は拡散板４へ到達する。
【００４３】
拡散板４に到達した拡散光Ｌ８０の一部は、反射して、背面側反射板５の底面５１又は側面側反射板５２で反射されて、再び拡散板４に到達する。拡散板４を透過する拡散光Ｌ８０は拡散される。そして、拡散光Ｌ８０は、均一性を増した面状の照明光Ｌ４４となる。
【００４４】
照明光Ｌ４４は、光学シート３及び光学シート２を介して、液晶パネル１の背面１ｂに照射される。背面１ｂとは、液晶パネル１の−ｚ軸方向側の面である。
【００４５】
本実施の形態１においては、光学素子７は棒形状である。棒形状の光学素子７は押し出し成形によって製造することができる。通常、直下型の面光源装置では、１つのＬＥＤ（光源８）に１つのレンズが装着されている。しかし、棒形状の光学素子７は、１列に並べられた複数のＬＥＤ（光源８）に対して、１つ配置すればよい。また、サイドライト型の面光源装置では、表示面（発光面）のサイズとほぼ等しいサイズの導光板が必要となるが、本実施の形態１では導光板が不要である。
【００４６】
本実施の形態１では、棒形状の光学素子７を１つ配置すればよいため、光学素子の部品点数を減らすことができる。また、個々のＬＥＤ（光源８）にレンズ（光学素子７）を装着する場合には、ＬＥＤ（光源８）を配置した基板と個々の光学素子とを接着する必要がある。しかし、本実施の形態１においては、１列に並べて配置した複数のＬＥＤ（光源８）に対して、１つの光学素子７を固定すればよいため、固定作業（接着作業）が容易になる。
【００４７】
また、例えば、複数のレンズを１つの光学素子で構成するレンズアレイの様に、ＬＥＤ（光源８）に対してｘ−ｙ平面において位置決めが必要な光学素子の採用が考えられる。しかし、ＬＥＤ（光源８）の数の増減によって、光学素子の金型を変更する必要がある。このため、光学素子としてレンズアレイを用いる面光源装置は、仕様の変更に対する汎用性が低い。
【００４８】
本実施の形態１における面光源装置２００においては、ＬＥＤ（光源８）の数の増減に対して、光学素子７を押し出し成形で製造する際に使用する金型の変更は不要である。そのため、光学素子７は、面光源装置２００の仕様の変更に対する汎用性が高い。つまり、ＬＥＤ素子（光源８）の数を変えるだけで、面光源装置２００の輝度を調整できる。このため、最適な数のＬＥＤ（光源８）を配置することができる。
【００４９】
光学素子７を押し出し成形で製造した場合には、その長さは自由に変えられる。このため、例えば、面光源装置２００の発光面の大きさを変更する場合でも、同じ金型で対応できる。以上で述べたように、本実施の形態１の面光源装置２００において、簡素で汎用性の高い光学素子７によって、安価な構成で、均一性を増した輝度分布を得ることができる。
【００５０】
＜液晶表示装置の制御＞
液晶表示装置１００において、液晶パネル１に映像が表示されるまでの動作について説明する。図４は、液晶表示装置１００の制御系の構成を概略的に示すブロック図である。図４に示すように、液晶表示装置１００に設けられた制御部３１には、映像信号３４が入力される。制御部３１は、液晶表示素子制御信号３５を生成し、液晶表示素子駆動部３２へ送る。また、制御部３１は、光源制御信号３６を生成し、光源駆動部３３へ送る。光源制御信号３６は、制御部３１に入力された映像信号３４の表示に必要とされる各色の光強度の割合に応じて生成される。
【００５１】
液晶表示素子駆動部３２は、液晶表示素子制御信号３５を受け取ると、これに基づいて液晶パネル１を駆動する。つまり、液晶表示素子駆動部３２は、液晶パネル１に電気信号（液晶表示素子制御信号３５）を送り、各画素における光の透過率を変化させる。具体的には、液晶表示素子駆動部３２は、液晶層に印加する電圧を変化させることにより液晶の配向を変え、各画素を透過する光の偏光方向を回転させる。偏光方向が回転した光は、液晶層の後方に備えられる偏光板により透過する光量が制御される。この光の透過率の変化により、画像の明るさや色を変化させる。光源駆動部３３は、光源制御信号３６を受け取ると、これに基づいて複数の光源８のそれぞれを駆動する。
【００５２】
なお、制御部３１、晶表示素子駆動部３２、光源駆動部３３は、処理回路によって実現される。処理回路は、専用のハードウェアであっても、メモリに格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰともいう）であってもよい。
【００５３】
処理回路が専用のハードウェアである場合、処理回路は、例えば、単一回路、複合回路、プログラム化したプロセッサ、並列プログラム化したプロセッサ、ＡＳＩＣ、ＦＰＧＡ、またはこれらを組み合わせたものが該当する。
【００５４】
処理回路がＣＰＵの場合、制御部３１、液晶表示素子駆動部３２、光源駆動部３３の機能はソフトウェア、ファームウェア、またはソフトウェアとファームウェアとの組み合わせにより実現される。ソフトウェアやファームウェアはプログラムとして記述され、メモリに格納される。処理回路は、メモリに記憶されたプログラムを読み出して実行することにより、制御部３１、晶表示素子駆動部３２、光源駆動部３３の機能を実現する。また、このプログラムは、制御部３１、晶表示素子駆動部３２、光源駆動部３３の手順や方法をコンピュータに実行させるものであるともいえる。ここで、メモリとは、例えば、ＲＡＭ、ＲＯＭ、フラッシュメモリー、ＥＰＲＯＭ、ＥＥＰＲＯＭ等の、不揮発性または揮発性の半導体メモリや、磁気ディスク、フレキシブルディスク、光ディスク、コンパクトディスク、ミニディスク、ＤＶＤ等が該当する。
【００５５】
なお、制御部３１、液晶表示素子駆動部３２、光源駆動部３３の機能について、一部を専用のハードウェアで実現し、一部をソフトウェアまたはファームウェアで実現するようにしてもよい。
【００５６】
＜効果＞
本実施の形態１における面光源装置２００は、発光面を有する面光源装置であって、発光面の一辺側に配置された少なくとも１つの光源８と、光源８が発する光を発光面に対して平行な平行光に変換する光学素子７と、光学素子７から射出される平行光の軌道を発光面に向かう側に変化させる背面側反射板５と、を備える。
【００５７】
本実施の形態１における面光源装置２００では、サイドライト型の光源配置を採用し、光学素子７により光源８の光を平行光に変換し、背面側反射板５により平行光の軌道を発光面に向かう側に変化させる。この構成により、直下型の光源配置を採用する場合と比較して、発光面内における輝度差を抑制することが可能である。また、導光板ではなく、反射板を用いて面状光を生成するため、導光板を伝搬する際の内部吸収率差に起因する色ムラの発生を避けることが可能である。従って、簡易かつ安価な構成で、面状光の均一性が向上した面光源装置２００を得ることが可能である。
【００５８】
また、本実施の形態１における面光源装置２００において、背面側反射板５と発光面との間隔は、発光面の一辺側から、一辺と対向する他辺側に向けて狭くなる。
【００５９】
従って、光学素子７により平行光に変換された光源８の光の軌道を発光面に向かう側に変化させることが可能となる。
【００６０】
また、本実施の形態１における面光源装置２００において、背面側反射板５の反射面（即ち底面５１）は拡散反射特性を有する。従って、背面側反射板５の反射面に拡散反射特性を持たせることにより、より均一な面状光を生成することが可能となる。
【００６１】
また、本実施の形態１における面光源装置２００は、発光面の一辺と対向する他辺に沿って延在し、発光面と垂直な反射面を有する側面側反射板５２をさらに備え、側面側反射板５２の反射面は拡散反射特性を有し、側面側反射板５２は、背面側反射板５と繋がっている。
【００６２】
従って、光源８が配置される辺と対向する辺側に、拡散反射特性を有する側面側反射板５２を配置することにより、光源８からの距離が遠い領域における面状光の均一性を向上させることが可能である。
【００６３】
また、本実施の形態１における面光源装置２００は、光源８、光学素子７、背面側反射板５および側面側反射板５２を収納し、内側面（即ち反射面６１，６２）で光を反射する筐体６をさらに備える。
【００６４】
従って、内側面で光を反射する筐体６で光源８、光学素子７、背面側反射板５および側面側反射板５２を収納することにより、発光面に到達しない光を反射して発光面側に戻すことが可能となる。これにより、面状光の均一性および輝度が向上する。
【００６５】
また、本実施の形態１における面光源装置２００において、筐体６の内側面は鏡面反射特性を有する。例えば、筐体６を金属で形成する場合、筐体の内側を研磨することで容易に鏡面反射特性を持たせることが可能となる。
【００６６】
また、本実施の形態１における面光源装置２００において、光学素子７は、棒形状であり、光学素子７は、発光面の一辺に沿って配置される。
【００６７】
従って、光学素子７を棒形状とすることで、光源８の個数に関わらず、複数の光源で１つの光学素子７を共用することが可能となる。よって、個々の光源８ごとに光学素子を配置する場合と比較して、部品点数を削減することが可能である。また、光学素子７を棒形状とすることで、光学素子７を押し出し成形によって製造することができる。よって、面光源装置２００の発光面のサイズを変更する場合であっても、光学素子７の長さを変えればよいため、同じ金型を使用することが可能である。以上から、光学素子７を棒形状とすることで、製造および組み立てコストを低減させることが可能である。
【００６８】
また、本実施の形態１における面光源装置２００において、少なくとも１つの光源８は複数であり、複数の光源８は発光面の一辺に沿って間隔をあけて配置される。複数の光源を配置することにより、面状光の均一性を向上させることが可能である。
【００６９】
また、本実施の形態１における面光源装置２００において、複数の光源８の配置される間隔は等間隔である。よって、複数の光源８を等間隔に配置ことにより、面状光の均一性をさらに向上させることが可能である。
【００７０】
また、本実施の形態１における面光源装置２００において、光源８は発光ダイオードである。本実施の形態１では、背面側反射板５の反射面は拡散反射特性を有する。従って、光源８として指向性の比較的強い発光ダイオードを光源８として用いる場合であっても、均一な面状光を得ることが可能である。
【００７１】
＜実施の形態２＞
図７は、本実施の形態２における面光源装置２０１および液晶表示装置１０１の断面図である。図８は、面光源装置２０１を＋ｚ軸側（発光面側）からみた平面図である。図８において、図の見易さのために拡散板４の記載を省略している。図８中の線分Ｂ−Ｂにおける断面が図７に対応する。説明を容易にするために、実施の形態１と同様、各図中にｘｙｚ直交座標系の座標軸を示す。なお、図７、８において図１、２と同様のものには同一の符号を付し、その作用や効果は同じである。
【００７２】
実施の形態１では、筐体６と、背面側反射板５および側面側反射板５２とは別部材で構成されていた。本実施の形態２における面光源装置２０１において、背面側反射板５および側面側反射板５２は、筐体６の内面に一体に設けられる。
【００７３】
つまり、本実施の形態２では筐体６の反射面６３が、実施の形態１の背面側反射板５の底面５１に対応する。また、本実施の形態２では筐体６の反射面６４が、実施の形態１の側面側反射板５２に対応する。
【００７４】
筐体６の反射面６３と面光源装置２０１の発光面との間隔は、発光面の一辺側（即ち光源８が配置される辺側）から、一辺と対向する他辺側（即ち光源８が配置される辺と対向する辺側）に向けて狭くなる。つまり、筐体６の反射面６３は、ｘ−ｙ平面対して傾斜している。
【００７５】
また、筐体６の反射面６４は、面光源装置２０１の発光面の他辺（即ち光源８が配置される辺と対向する辺）に沿って延在する。反射面６４は、面光源装置２０１の発光面と垂直である。
【００７６】
筐体６の反射面６３および反射面６４は、拡散反射特性を有している。拡散特性をとしては完全拡散に近い特性である方が望ましい。例えば、金属製の筐体６において、反射面６３および反射面６４には硫酸バリウム等の白色コーティングが施されている。
【００７７】
筐体６の反射面６３および６４に拡散反射特性を備えることで、実施の形態１と同一の効果が得られる。
【００７８】
なお、上述の実施の形態１、２においては、「平行」や「垂直」などの部品間の位置関係もしくは部品の形状を示す用語を用いている場合がある。これらは、製造上の公差や組立て上のばらつきなどを考慮した範囲を含むことを表している。このため、請求の範囲に部品間の位置関係もしくは部品の形状を示す記載をした場合には、製造上の公差又は組立て上のばらつき等を考慮した範囲を含むことを示している。
【００７９】
＜効果＞
本実施の形態２における面光源装置２０１において、背面側反射板５および側面側反射板５２は、筐体６の内面に反射面６３，６４として一体に設けられる。背面側反射板５および側面側反射板５２を筐体６の内面に反射面６３，６４として一体に設けた場合であっても、実施の形態１と同様の効果が得られる。また、実施の形態１と比較して、部品点数を削減することが可能である。
【００８０】
上述した実施の形態１において、液晶表示装置１００は、面光源装置２００と、面光源装置２００によって照射される光を利用して画像を表示する液晶パネル１と、を備える。また、上述した実施の形態２において、液晶表示装置１０１は、面光源装置２０１と、面光源装置２０１によって照射される光を利用して画像を表示する液晶パネル１と、を備える。
【００８１】
従って、実施の形態１、２における液晶表示装置１００，１０１によれば、簡易かつ安価な構成で、面状光の均一性が向上した画像光を得ることが可能である。
【００８２】
なお、本発明は、その発明の範囲内において、各実施の形態を自由に組み合わせたり、各実施の形態を適宜、変形、省略することが可能である。
【符号の説明】
【００８３】
１  液晶パネル、１ａ  表示面、１ｂ  背面、２，３  光学シート、４  拡散板、５  背面側反射板、５１  底面、５２  側面側反射板、６  筐体、６１，６２，６３，６４  反射面、７  光学素子、７１  光入射面、７２  光出射面、８  光源、３１  制御部、３２  液晶表示素子駆動部、３３  光源駆動部、３４  映像信号、３５  液晶表示素子制御信号、３６  光源制御信号、Ｌ７０  平行光、Ｌ８０  拡散光、Ｌ４４  照明光、１００，１０１  液晶表示装置、２００，２０１  面光源装置。
【図１】
2017103079.tif 000003
【図２】
2017103079.tif 000004
【図３】
2017103079.tif 000005
【図４】
2017103079.tif 000006
【図５】
2017103079.tif 000007
【図６】
2017103079.tif 000008
【図７】
2017103079.tif 000009
【図８】
2017103079.tif 000010